(57)【特許請求の範囲】
【請求項１】
下部横架材と、
前記下部横架材の上方に向けて立設された２本の縦材と、
前記下部横架材の上かつ前記２本の縦材間において横方向および縦方向に連設された複数のブロック材からなり、前記複数のブロック材によって前記縦材を内包する壁体と、
前記２本の縦材に両端が接合された上部横架材と、
前記上部横架材の外側のみに前記壁体と面一となるように固定されたカバー材と、を備え、
前記カバー材は、前記ブロック材と同一の材料からなる
ことを特徴とする組積造建物。
【請求項２】
前記カバー材は前記ブロック材と同一の高さ寸法を有するとともに、前記ブロック材及び前記カバー材は、それらの縦目地が千鳥状になるように配置されている
ことを特徴とする請求項１記載の組積造建物。
【請求項３】
前記縦材は材軸方向に連続する突出片を有し、
前記縦材に接する少なくとも１つの前記ブロック材には、前記突出片に対応する溝が前記横方向の端部に形成され、
前記突出片が前記溝に嵌合されて、２つの前記ブロック材が前記縦材を挟んで内包している
ことを特徴とする請求項１または２記載の組積造建物。
【請求項４】
前記縦材は、前記壁体同士が直交する出隅部における一方の壁体の側端部に沿って配置されており、
当該一方の壁体の側端部は、前記ブロック材と同一の材料からなる被覆用ブロック材によって覆われている
ことを特徴とする請求項１または２記載の組積造建物。
【発明の詳細な説明】
【技術分野】
【０００１】
本発明は、組積造建物に関する。
【背景技術】
【０００２】
従来より、レンガやコンクリートブロックなどのブロック材を積み重ねて壁（構造壁）を構成する組積造の建物が古くから存在し、地震の多い日本では、耐震性を向上させるために、上記塊状の材料に空洞部を設け、その空洞部に鉄筋を挿入して補強することが行なわれてきた。
【０００３】
上記壁の目地部にはブロック材同士の接合のために目地モルタルを打設する。この際、乾燥したレンガやコンクリートブロックは吸水性が高いので、目地モルタルの水分が吸収されて充分な強度が得られなくなるおそれがある。このため、予めブロック材を水で湿らせる作業が必要である。また、ブロック材の重量で目地モルタルが押し潰されないようにするために、目地モルタルがある程度硬化するまでの時間をおいてブロック材を積み上げる必要がある。また、鉄筋が挿入されたブロック材の空洞部にはブロック材と鉄筋との一体化を図るために充填モルタルを打設する必要があり、更には、壁の上下端をコンクリートの基礎や臥梁で固める必要がある。
【０００４】
このような組積造建物として、特許文献１に記載されたものが知られている。特許文献１に記載の組積造建物は、型枠コンクリートブロックの内部にコンクリートを打設して構成された壁体を備えており、臥梁はコンクリートによって形成されている。このような臥梁は、当該臥梁部分に型枠を組んでコンクリートを打設することによって形成される。この組積造建物は、鉄骨の柱・梁によって補強されている。
【先行技術文献】
【特許文献】
【０００５】
【特許文献１】特開２００４−３１６０９０号公報
【発明の概要】
【発明が解決しようとする課題】
【０００６】
従来の組積造建物にあっては、コンクリートの打設により形成された臥梁部分は、平滑な仕上がりとなり、コンクリートブロックなどのブロック材を積み重ねた組積部分とは異なった仕上がりとなる。よって、外観意匠上好ましくないという問題があった。
【０００７】
本発明は、このような課題を解決するためになされたものであり、意匠性を向上させることができる組積造建物を提供することを目的とする。
【課題を解決するための手段】
【０００８】
本発明に係る組積造建物は、下部横架材と、下部横架材の上方に向けて立設された２本の縦材と、下部横架材の上かつ２本の縦材間において横方向および縦方向に連設された複数のブロック材からなり、複数のブロック材によって縦材を内包する壁体と、２本の縦材に両端が接合された上部横架材と、上部横架材の外側のみに壁体と面一となるように固定されたカバー材と、を備え、カバー材は、ブロック材と同一の材料からなることを特徴とする。
【０００９】
本発明に係る組積造建物によれば、上部横架材の外側には、ブロック材と同一の材料からなるカバー材が壁体と面一となるように設けられるので、建物の壁面全体を同一のテクスチャーで仕上げることが出来る。また、縦材は複数のブロック材によって内包されるので、縦材の露出により外観が損なわれることもない。よって、意匠性を向上させることができる。
【００１０】
ここで、カバー材はブロック材と同一の高さ寸法を有するとともに、ブロック材及びカバー材は、それらの縦目地が千鳥状になるように配置されていることが好ましい。この構成によれば、カバー材の高さ寸法とブロック材の高さ寸法とが揃えられるので、意匠性をより一層向上させることができる。
【００１１】
また、縦材は材軸方向に連続する突出片を有し、縦材に接する少なくとも１つのブロック材には、突出片に対応する溝が横方向の端部に形成され、突出片が溝に嵌合されて、２つのブロック材が縦材を挟んで内包していることが好ましい。この構成によれば、縦材の突出片がブロック材の溝に嵌合されるので、縦材に沿ってブロック材を一直線状に並設することができ、壁体の直立性が保たれる。よって、意匠性をより確実に向上させることができる。
【００１２】
また、縦材は、壁体同士が直交する出隅部における一方の壁体の側端部に沿って配置されており、当該一方の壁体の側端部は、ブロック材と同一の材料からなる被覆用ブロック材によって覆われていることが好ましい。この構成によれば、出隅部に配置された縦材がブロック材と同一の材料からなる被覆用ブロック材によって覆われて隠れるので、出隅部における意匠性をも向上させることができる。
【発明の効果】
【００１３】
本発明によれば、意匠性を向上させることができる。
【図面の簡単な説明】
【００１４】
【図１】本発明の一実施形態に係る組積造建物を外部から見たときの立面図である。
【図２】図１に示すＩＩ−ＩＩ線に沿った断面図であり、Ａで示す部分を拡大した断面図である。
【図３】組積造建物を室内側から見た斜視図である。
【図４】各種ブロック材の概略構成を示す図である。
【図５】各種ブロック材の概略構成を示す図である。
【図６】（ａ）は壁体一般部におけるブロック材の配置を上方から見た図であり、（ｂ）は壁体隅部におけるブロック材の配置を上方から見た図である。
【図７】図２のＣで示す部分を拡大した断面図である。
【図８】組積造建物の構築手順を示す斜視図である。
【図９】図８に続く構築手順を示す斜視図である。
【図１０】図９に続く構築手順を示す斜視図である。
【図１１】他の実施形態に係る組積造建物を室内側から見た斜視図である。
【発明を実施するための形態】
【００１５】
以下、図面を参照しつつ本発明の一実施形態に係る組積造建物及びその構築方法について詳細に説明する。
【００１６】
図１は、本実施形態に係る組積造建物１を外部から見たときの立面図である。図２は、図１に示すＩＩ−ＩＩ線に沿った断面図であり、Ａで示す部分を拡大した断面図である。図３は、組積造建物１を室内側から見た斜視図である。ただし、図３では、本実施形態の構成を説明するために、一部のブロック材が省略されると共に、各構成要素は分離された状態で示されている。
【００１７】
図１〜図３に示すように、組積造建物１は、二階建ての組積造の住宅である。組積造建物１は、布基礎２と、布基礎２の上方に向けて立設された縦材５と、布基礎２の上において横方向及び縦方向に連設された複数のブロック材３からなる壁体４と、一階と二階との間の鉄骨臥梁６Ａと、二階と屋上との間の鉄骨臥梁６Ｂと、一階床８Ａと、二階床８Ｂと、屋上床８Ｃと、を備えて構成されている。組積造建物１は、使用される部材の多くが規格化、工業化された工業化住宅である。組積造建物１は平面モジュールＭ（例えばＭ＝４５５ｍｍに設定できる）を有している。組積造建物１の通り芯は、直交する二方向について平面モジュールＭの整数倍の間隔で複数設定されており、壁体４、鉄骨臥梁６Ａ，６Ｂの厚さ方向（室内から室外へ向かう方向）における中心線ＣＬ１は、当該通り芯に一致している（例えば図２を参照）。
【００１８】
布基礎２は、地面ＧＤに設けられた鉄筋コンクリート造の構造物であり、組積造建物１の基礎として機能する。布基礎２は、地中に埋設された部分と、地面ＧＤから立ち上がる部分とを有しており、立ち上がり部分の上端２ａは、一階壁体４Ａが載置されるように平面状に構成されている。布基礎２は、組積造建物１に設定された通り芯に沿って水平方向に延びるように設けられており、少なくとも一階壁体４Ａが設けられる位置の直下に配置されている。布基礎２は、一階壁体４Ａに対する下部横架材として機能する。布基礎２の厚さ方向の寸法は、一階床８Ａの縁部と一階壁体４Ａを載置できるように、一階壁体４Ａの厚さ方向の寸法（ブロック材３の厚さ寸法Ｔ）より大きく設定されている。布基礎２には、縦補強鉄筋３１の下端部が埋設されており、当該縦補強鉄筋３１は布基礎２の上端２ａから突出して上方へ向かって延びている。この縦補強鉄筋３１の詳細な説明は、後述する。
【００１９】
図３に示すように、縦材５は、鉛直方向に延びる長尺の鋼材である。縦材５は、一階用縦材５Ａと、鉄骨臥梁６Ａの上方に向けて立設された二階用縦材５Ｂと、鉄骨臥梁６Ｂの上方に向けて立設された屋上用縦材（図示せず）と、を備えている。縦材５は、壁体４同士の交点、壁体出隅部、壁体４の端部などに複数本配置されている。複数の縦材５同士は、布基礎２、鉄骨臥梁６Ａ、又は鉄骨臥梁６Ｂの延在方向に離間して配置されている。縦材５の中心線は、前述した通り芯に一致している。縦材５は、複数のブロック材３を積み重ねる際の位置決めの基準となるものであり、ブロック材３のガイドとして機能する。２本の縦材５，５（図８〜図１０参照）間において、縦材５，５に沿ってブロック材３を積み、さらに、縦材５，５に沿って積んだブロック材３を基準として他のブロック材３を並べることにより、壁体４の直進性や直立性などといった施工の精度が確保される。このように、縦材５は、施工性や施工精度の向上という機能を有する。なお、縦材５は、鉄骨臥梁６Ａ，６Ｂ等と協働して壁体４を補強し、地震時の壁体４の変形を抑制し耐震性を高めるという機能も有している。但し、鉄骨臥梁６Ａ，６Ｂや鉄骨臥梁６Ａ，６Ｂ上部のブロック材３の荷重は縦材５を介することなく、直接下部のブロック材３に伝達されるので、縦材５は、一般的な柱が有する鉛直荷重を下部構造に伝達する機能は有していない。一階用縦材５Ａ、二階用縦材５Ｂ、及び屋上用縦材は、一階壁体４Ａ、二階壁体４Ｂ、及び屋上壁体４Ｃにそれぞれ対応している。
【００２０】
一階用縦材５Ａおよび二階用縦材５Ｂの下端には正方形状のベースプレート５ｂが、上端には正方形状の上部プレート５ａが溶接によってそれぞれ固定されている。一階用縦材５Ａの下端部のベースプレート５ｂは、布基礎２上にアンカーボルトにて固定されている。二階用縦材５Ｂは、そのベースプレート５ｂが一階用縦材５Ａの上部プレート５ａにボルト固定されることにより、一階用縦材５Ａ上に立設される。屋上用縦材も、これと同様にして二階用縦材５Ｂ上に立設される。縦材５の長尺部分の形状については、後述する。
【００２１】
壁体４は、一階壁体４Ａと、二階壁体４Ｂと、屋上壁体４Ｃと、を備えている。一階壁体４Ａは、組積造建物１の一階部分の壁を構成しており、布基礎２と鉄骨臥梁６Ａとの間に設けられる。一階壁体４Ａの下端４ｂが布基礎２の上端２ａに載置されると共に固定され、一階壁体４Ａの上端４ａに鉄骨臥梁６Ａが載置されると共に固定される。二階壁体４Ｂは、組積造建物１の二階部分の壁を構成しており、鉄骨臥梁６Ａと鉄骨臥梁６Ｂとの間に設けられる。二階壁体４Ｂの下端４ｂが鉄骨臥梁６Ａに載置されると共に固定され、二階壁体４Ｂの上端４ａに鉄骨臥梁６Ｂが載置されると共に固定される。屋上壁体４Ｃは、組積造建物１の屋上のパラペットを構成しており、鉄骨臥梁６Ｂの上方に設けられる。屋上壁体４Ｃの下端４ｂが鉄骨臥梁６Ｂに載置されると共に固定される。
【００２２】
壁体４は、２本の縦材５，５間において、横方向及び縦方向に連設されると共に互いに接合された複数のブロック材３によって構成されている。横方向及び縦方向において隣り合うブロック材３同士は、接着剤によって接合されている。この接着剤によって、隣り合うブロック材３同士が固定される。接着剤は、薄い塗布であっても十分な接着効果があり、圧縮力を受けた際に潰れないものを適用することが好ましい。接着剤としては、例えば樹脂モルタルを適用することができる。このような接着剤を用いることにより、従来の組積式構造に用いられている目地モルタルのように、モルタルが硬化するまで待機する必要がなく、施工の手間を省くことができる。
【００２３】
ここで、図４及び図５を参照してブロック材３の詳細な構成について説明する。本実施形態では、複数種類のブロック材３Ａ，３Ｂ，３Ｃ，３Ｄ，３Ｅ，３Ｆ，３Ｇ，３Ｈが用いられる。ブロック材３Ａ，３Ｂ，３Ｃ，３Ｄ，３Ｅ，３Ｆ，３Ｇ，３Ｈは、長さ方向の寸法が平面モジュールＭに基づいて設定されることによって規格化されたものである。ブロック材３Ａ，３Ｂ，３Ｃ，３Ｄ，３Ｅ，３Ｆ，３Ｇ，３Ｈの材料は、例えばＡＬＣや軽量コンクリートである。
【００２４】
図４に示すように、ブロック材３Ａは、略直方体形状であり、長さ方向において互いに対向する端面３ａ，３ｂと、厚さ方向において互いに対向する側面３ｃ，３ｄと、高さ方向において互いに対向する上面３ｅ及び下面３ｆと、を有している。ブロック材３Ａの長さ寸法、すなわち端面３ａと端面３ｂとの間の寸法は、平面モジュールＭの二倍の寸法である２Ｍに設定される。ブロック材３Ａの厚さ寸法、すなわち側面３ｃと側面３ｄとの間の寸法はＴに設定される。ブロック材３Ａの高さ寸法、すなわち上面３ｅと下面３ｆとの間の寸法はどのような寸法を設定してもよいが、例えば厚さ寸法Ｔの１〜１．５倍程度に設定される。具体的には、ブロック材３Ａの高さ寸法は、例えば３００ｍｍ程度である。
【００２５】
ブロック材３Ａには、上面３ｅから下面３ｆへ貫通する長孔形状の鉄筋挿入孔１３が形成されている。鉄筋挿入孔１３は、厚さ方向に対する中心線ＣＬ２から側面３ｃ及び側面３ｄへ向かって延びるような長孔形状をなしている。鉄筋挿入孔１３の長孔形状は、中心線ＣＬ２に対して線対称をなすような形状及び寸法に設定されている。鉄筋挿入孔１３は、端面３ａから長さ方向の距離がＭ／２の位置に形成されると共に、Ｍ＋Ｍ／２の位置に形成される。ブロック材３Ａの上面３ｅ及び下面３ｆには、中心線ＣＬ２に沿って長さ方向に延びる溝部が形成されている（図２の溝部１４参照）。
【００２６】
ブロック材３Ａの長さ方向における両端部には、高さ方向に延びる溝３ｇ，３ｈが形成されている。溝３ｇ，３ｈのそれぞれは、端面３ａ，３ｂから僅かに窪むと共に厚さ方向に所定の幅を有する長方形状の浅溝３ｊと、浅溝３ｊから更に中心線ＣＬ２に沿って深く窪んだスリット状の深溝３ｋと、によって構成されている。溝３ｇ，３ｈは、互いに左右対称をなしている。これらの溝３ｇ，３ｈには、縦材５が嵌合される。
【００２７】
ブロック材３Ｂ及びブロック材３Ｃは、長さ寸法が２Ｍ−Ｔ／２に設定されている。具体的に、ブロック材３Ｂは、ブロック材３Ａの端面３ａ側の端部の寸法をＴ／２短くすることによって構成される。ブロック材３Ｂの端面３ｂ側の端部には、ブロック材３Ａと同様にして、溝３ｈが形成されている。ブロック材３Ｂの端面３ａ側の端部には、溝部は形成されていない。その他の部分についてはブロック材３Ａと同様の構成を有する。ブロック材３Ｃは、ブロック材３Ａの端面３ｂ側の端部の寸法をＴ／２短くすることによって構成される。ブロック材３Ｃの端面３ａ側の端部には、ブロック材３Ａと同様にして、溝３ｇが形成されている。ブロック材３Ｃの端面３ｂ側の端部には、溝部は形成されていない。その他の部分についてはブロック材３Ａと同様の構成を有する。
【００２８】
図５に示すように、ブロック材３Ｄは、略直方体形状であり、長さ方向において互いに対向する端面３ａ，３ｂと、厚さ方向において互いに対向する側面３ｃ，３ｄと、高さ方向において互いに対向する上面３ｅ及び下面３ｆと、を有している。ブロック材３Ｄの長さ寸法、すなわち端面３ａと端面３ｂとの間の寸法は、平面モジュールＭに設定される。ブロック材３Ｄの厚さ寸法、すなわち側面３ｃと側面３ｄとの間の寸法はブロック材３Ａと同じくＴに設定される。ブロック材３Ｄの高さ寸法、すなわち上面３ｅと下面３ｆとの間の寸法はブロック材３Ａの高さ寸法と同じ寸法に設定される。
【００２９】
ブロック材３Ｄには、上面３ｅから下面３ｆへ貫通する長孔形状の鉄筋挿入孔１３が形成されている。鉄筋挿入孔１３は、厚さ方向に対する中心線ＣＬ２から側面３ｃ及び側面３ｄへ向かって延びるような長孔形状をなしている。鉄筋挿入孔１３の長孔形状は、中心線ＣＬ２に対して線対称をなすような形状及び寸法に設定されている。鉄筋挿入孔１３は、端面３ａから長さ方向の距離がＭ／２の位置に形成される。ブロック材３Ｄの上面３ｅ及び下面３ｆには、中心線ＣＬ２に沿って長さ方向に延びる溝部が形成されている（図２の溝部１４参照）。
【００３０】
ブロック材３Ｄの長さ方向における両端部には、高さ方向に延びる溝３ｇ，３ｈが形成されている。溝３ｇ，３ｈのそれぞれは、端面３ａ，３ｂから僅かに窪むと共に厚さ方向に所定の幅を有する長方形状の浅溝３ｊと、浅溝３ｊから更に中心線ＣＬ２に沿って深く窪んだスリット状の深溝３ｋと、によって構成されている。これらの溝３ｇ，３ｈには、縦材５が嵌合される。
【００３１】
ブロック材３Ｅ及びブロック材３Ｆは、長さ寸法がＭ−Ｔ／２に設定されている。具体的に、ブロック材３Ｅは、ブロック材３Ｄの端面３ａ側の端部の寸法をＴ／２短くすることによって構成される。ブロック材３Ｅの端面３ｂ側の端部には、ブロック材３Ｄと同様にして、溝３ｈが形成されている。ブロック材３Ｅの端面３ａ側の端部には、溝部は形成されていない。その他の部分についてはブロック材３Ｄと同様の構成を有する。ブロック材３Ｆは、ブロック材３Ｄの端面３ｂ側の端部の寸法をＴ／２短くすることによって構成される。ブロック材３Ｆの端面３ａ側の端部には、ブロック材３Ｄと同様にして、溝３ｇが形成されている。ブロック材３Ｆの端面３ｂ側の端部には、溝部は形成されていない。その他の部分についてはブロック材３Ｄと同様の構成を有する。
【００３２】
ブロック材３Ｇ及びブロック材３Ｈは、上記した各ブロック材３Ａ，３Ｂ，３Ｃ，３Ｄ，３Ｅ，３Ｆとは異なり、壁体出隅部（コーナー部）における壁体４の側端部に沿って配置される被覆用ブロック材である。ブロック材３Ｇ，３Ｈは、高さ方向に延びる長尺状をなしている。ブロック材３Ｇ，３Ｈは、長さ寸法がＴ／２に設定されている。ブロック材３Ｇ，３Ｈの厚さ寸法、すなわち側面３ｃと側面３ｄとの間の寸法はブロック材３Ａと同じくＴに設定される。ブロック材３Ｇ，３Ｈの高さ寸法、すなわち上面３ｅと下面３ｆとの間の寸法は、例えばブロック材３Ａの高さ寸法の整数倍に設定される。具体的には、ブロック材３Ａの高さ寸法を３００ｍｍ程度とした場合、ブロック材３Ｇ，３Ｈの高さ寸法は、例えばその９倍の２７００ｍｍ程度である。
【００３３】
ブロック材３Ｇの長さ方向における端面３ｂ側の端部には、高さ方向に延びる浅溝３ｍが形成されている。浅溝３ｍは、端面３ｂから僅かに窪むと共に厚さ方向に所定の幅を有する長方形状をなしている。ブロック材３Ｈの長さ方向における端面３ａ側の端部には、高さ方向に延びる浅溝３ｎが形成されている。浅溝３ｎは、端面３ａから僅かに窪むと共に厚さ方向に所定の幅を有する長方形状をなしている。
【００３４】
図１〜図３に戻り、壁体４は、上述のような平面モジュールＭに基づいた寸法を有するブロック材３Ａ，３Ｂ，３Ｃ，３Ｄ，３Ｅ，３Ｆ，３Ｇ，３Ｈを組み合わせることで、壁体一般部のように平面状に広がる部分のみならず、壁体出隅部や壁体入隅部や窓枠部周辺などのように形状が変則的に変わる部分も、規格化されたブロック材のみ（すなわち、ある一部分のみに対して特別な寸法のブロック材を作成することなく）で構成することができる。
【００３５】
例えば、壁体４の壁体一般部は、長さ寸法２Ｍのブロック材３Ａを長手積みすることによって構成される。すなわち、一段下側に積まれているブロック材３Ａの上面３ｅが見えるように、長さ寸法にＭだけずらして千鳥状にブロック材３Ａを積むことによって壁体４の壁体一般部を構成する（図３参照）。なお、壁体一般部とは、例えば図１においてＢで示される領域のように、壁体出隅部や壁体入隅部や窓枠部が形成されていない部分のことである。
【００３６】
次に、縦材５とブロック材３との配置について説明する。図６（ａ）は壁体一般部におけるブロック材の配置を上方から見た図であり、図６（ｂ）は壁体出隅部におけるブロック材の配置を上方から見た図である。図６（ａ）及び図６（ｂ）に示すように、縦材５は、長尺部分の断面が十字状の縦材５Ｐと、長尺部分の断面がＴ字状の縦材５Ｑとの２種類の鋼材からなる。断面十字状の縦材５Ｐは、材軸方向に連続すると共に材軸方向に垂直な方向に突出する突出片５０，５０を有している。断面Ｔ字状の縦材５Ｑは、材軸方向に連続すると共に材軸方向に垂直な方向に突出する突出片５１を有している。
【００３７】
上述したように、ブロック材３Ａ等には溝３ｇ又は溝３ｈが形成されている。図６（ａ）に示すように、壁体一般部は、ブロック材３Ａ，３Ａが連設されることにより構成される。縦材５Ｐは、一方のブロック材３Ａの溝３ｇに嵌合されると共に、他方のブロック材３Ａの溝３ｈに嵌合されている。より具体的には、縦材５Ｐの突出片５０は、ブロック材３Ａの深溝３ｋに嵌合されている。言い換えれば、ブロック材３Ａ同士が連設されると、溝３ｇ及び溝３ｈによって、ブロック材３Ａの高さ方向に延びる断面十字状の空間が形成される。縦材５Ｐは、この断面十字状の空間に配置される。縦材５Ｐは、ブロック材３Ａ，３Ａによって挟まれ、壁体４に内包されている。このように、断面十字状の縦材５Ｐは、例えば壁体一般部に用いることができる。
【００３８】
また、図６（ｂ）に示すように、壁体出隅部は、ブロック材３Ａと、ブロック材３Ａに直交するブロック材３Ｃと、ブロック材３Ａの端部に貼設される長尺状のブロック材３Ｇとによって構成される。縦材５Ｑは、ブロック材３Ａの溝３ｇに嵌合されると共に、ブロック材３Ｇの浅溝３ｍに嵌合されている。より具体的には、縦材５Ｑの突出片５１は、ブロック材３Ａの深溝３ｋに嵌合されている。言い換えれば、ブロック材３Ａとブロック材３Ｇとが連設されると、溝３ｇ及び浅溝３ｍによって、ブロック材３Ａの高さ方向に延びる断面Ｔ字状の空間が形成される。縦材５Ｑは、この断面Ｔ字状の空間に配置される。縦材５Ｑは、ブロック材３Ａ及びブロック材３Ｇによって挟まれ、壁体４に内包されている。このように、断面Ｔ字状の縦材５Ｑは、例えば壁体出隅部に用いることができる。
【００３９】
各縦材５Ｐ，５Ｑをいずれの箇所に用いるかは、適宜設定することができる。例えば、壁体一般部以外のコーナー部等に断面十字状の縦材５Ｐを用いてもよいし、壁体一般部に断面Ｔ字状の縦材５Ｑを用いてもよい。縦材５Ｐ，５Ｑは、前述した一階壁体４Ａ、二階壁体４Ｂ、及び屋上壁体４Ｃのいずれに用いてもよい。また、縦材の断面寸法に比べてブロック材の厚みが大きく設定されていたり、コーナー用のブロック材に補強が施されていたりして、コーナー用のブロック材に深溝３ｋを形成しても強度上の問題が生じない場合には、コーナー部に断面十字状の縦材５Ｐを用いることもできる。
【００４０】
次に、鉄骨臥梁６Ａ，６Ｂの構成について説明する。図２、図３、及び図７に示すように、鉄骨臥梁６Ａ，６Ｂは、２つの溝形鋼を合わせた合わせ梁である。鉄骨臥梁６Ａ，６Ｂは、ブロック材３と同一の高さ寸法を有している。なお、鉄骨臥梁６Ａ，６Ｂとして、Ｈ形鋼を用いることもできる。
【００４１】
鉄骨臥梁６Ａの両端は、一階用縦材５Ａ，５Ａに対してボルト接合されている（図１０も参照）。鉄骨臥梁６Ａの両端部のウェブ（垂直部分）には、一階用縦材５Ａとの接合用のボルト孔２０ａが穿設された長方形状のガセットプレート２０が溶接されている。一方、一階用縦材５Ａの上端部には、鉄骨臥梁６Ａを接合するためのボルト孔５ｃが穿設されている。これらのボルト孔２０ａ及びボルト孔５ｃを用いて、鉄骨臥梁６Ａが一階用縦材５Ａに接合される。一階用縦材５Ａの上部プレート５ａは、鉄骨臥梁６Ａの上端６ａと面一となるように配置される。このように、鉄骨臥梁６Ａは、一階壁体４Ａの上端４ａで支持されると共に２本の一階用縦材５Ａ，５Ａに両端が接合された乾式の上部横架材である。
【００４２】
鉄骨臥梁６Ａの外側には、一階壁体４Ａ及び二階壁体４Ｂと面一となるようにカバー材２１が固定されている。カバー材２１は、鉄骨臥梁６Ａすなわちブロック材３と同一の高さ寸法を有する長方形板状をなしている。カバー材２１は、ブロック材３と同一の材料からなる。カバー材２１は、鉄骨臥梁６Ａのウェブ上に配置された板状の下地材２２に対し、ビス２３等によって固定されている。カバー材２１は、鉄骨臥梁６Ａの延在方向の全体にわたって鉄骨臥梁６Ａを被覆しており、その外面が外部に露出している（図１も参照）。このカバー材２１により、建物の壁面全体が同一のテクスチャーで仕上げられている。
【００４３】
鉄骨臥梁６Ａの内側には、長さ方向（横方向）の複数箇所において、二階床８Ｂを支持するための床支持部材２４が固定されている。床支持部材２４は、室内側に向けて突出している。床支持部材２４と二階壁体４Ｂの下端４ｂとの間には、鉄骨臥梁６Ａのフランジ部に等しい厚みを有する長尺状の床載置板２６が固定されている。
【００４４】
二階壁体４Ｂ及び屋上壁体４Ｃの間に配置された鉄骨臥梁６Ｂは、鉄骨臥梁６Ａと同様の構成を有している。上述した鉄骨臥梁６Ａ周辺の構成と同様にして、鉄骨臥梁６Ｂの外側にはカバー材２１等が設けられ、鉄骨臥梁６Ｂの内側には床支持部材２４等が設けられている。二階壁体４Ｂに対しては、鉄骨臥梁６Ａが下部横架材として機能し、鉄骨臥梁６Ｂが上部横架材として機能する。また、屋上壁体４Ｃに対しては、鉄骨臥梁６Ｂが下部横架材として機能する。
【００４５】
次に、床８Ａ，８Ｂ，８Ｃの構成について説明する。本実施形態では、床８Ａ，８Ｂ，８Ｃは、それぞれパネル材によって構成されており、乾式化されている。一階床８Ａは、複数のパネル材を並べることによって構成される。パネル材として、ＡＬＣパネル、コンクリートパネル、木質パネル等を適用することができる。一階床８Ａの各パネル材は、布基礎２や布基礎２に架け渡された鉄骨小梁等によって支持される。
【００４６】
二階床８Ｂは、複数のパネル材を並べることによって構成される。パネル材として、ＡＬＣパネル、コンクリートパネル、木質パネル等を適用することができる。二階床８Ｂの各パネル材は、床載置板２６を介して床支持部材２４によって支持されると共に、鉄骨臥梁６Ａに架け渡された鉄骨小梁等によって支持される。
【００４７】
屋上床８Ｃは、複数のパネル材を並べることによって構成される。パネル材として、ＡＬＣパネル等の構造用断熱材を適用することができる。屋上床８Ｃの各パネル材は、床載置板２６を介して床支持部材２４によって支持されると共に、鉄骨臥梁６Ｂに架け渡された鉄骨小梁等によって支持される。
【００４８】
組積造建物１は、縦補強鉄筋３１，３３によって補強されている。ここで、壁体４には、縦補強鉄筋３１を通すことができるように、縦方向に延びる貫通孔が形成されている。また、鉄骨臥梁６Ａ，６Ｂのフランジ部には、縦補強鉄筋３１を通すことができるように、所定のピッチ（ここでは平面モジュールＭ）で貫通孔が形成されている。具体的に、ブロック材３は、いずれの種類についても平面モジュールＭに基づいた寸法が設定されており、鉄筋挿入孔１３も平面モジュールＭに基づいた寸法にて配置されている。従って、各ブロック材３を千鳥状に配置しても、一のブロック材３に形成されている鉄筋挿入孔１３は、一段下のブロック材３の鉄筋挿入孔１３及び一段上のブロック材３の鉄筋挿入孔１３と連通する。また、縦補強鉄筋３１の端部は、鉄骨臥梁６Ａ，６Ｂの貫通孔に通され、ナット等により緊結される。
【００４９】
なお、ブロック材３の鉄筋挿入孔１５及び外枠材の鉄筋挿入孔２７によって形成される貫通孔や、ブロック材３の鉄筋挿入孔１３及び外枠材の鉄筋挿入孔２６によって形成される貫通孔や、ブロック材３の溝部１４には、モルタルや樹脂モルタルなどの充填材が充填される。
【００５０】
次に、本実施形態に係る組積造建物１の構築工法の一例について説明する。
【００５１】
まず、図８に示すように、縦補強鉄筋３１が立ち上がった布基礎２を形成し、布基礎２の延在方向に所定距離離間した２本の一階用縦材５Ａを立設する。ここでは、一階用縦材５Ａとして、断面十字状の縦材５Ｐを立設している。縦材５Ｐは、材軸方向に連続する突出片５０を有している。
【００５２】
次に、図９に示すように、布基礎２の上端２ａに一段目のブロック材３を積む。より具体的には、一段目のブロック材３のうち、一階用縦材５Ａに最も近接したブロック材３（図９に示す左右の両端に位置するブロック材３Ｐ）を一階用縦材５Ａに沿って積む。このとき、立ち上がっている縦補強鉄筋３１の上端部にブロック材３の鉄筋挿入孔１３を通すと共に、ブロック材３に形成された溝３ｇ又は溝３ｈに突出片５０を嵌合させつつ、一階用縦材５Ａに沿ってスライドさせるようにしてブロック材３を積む。ここで積まれるブロック材３は、端部用ブロック材３Ｐである。端部用ブロック材３Ｐを一階用縦材５Ａに沿って積むことにより、当該ブロック材の位置決めが容易になっている。次に、一階用縦材５Ａに沿って積まれたブロック材３を基準として、当該ブロック材３に隣接するブロック材３を積む。ここで積まれるブロック材３は、中間部用ブロック材３Ｑに相当する。中間部用ブロック材３Ｑは、その表面が端部用ブロック材３Ｐの表面と面一になるように積まれる。
【００５３】
一段目のブロック材３を積んだら、同様の方法で二段目以降のブロック材３を積む。このとき、各段のブロック材３が千鳥状となるように積む。また、積む際に接着剤などで各ブロック材３を固定しながら積む。また、所定の段では、横補強鉄筋３２を横方向に配置する。いずれの段においても、まず一階用縦材５Ａに最も近接したブロック材３を一階用縦材５Ａに沿って積み、その後、一階用縦材５Ａに沿って積まれたブロック材３を基準として、当該ブロック材３に並設されるブロック材３を積む。このような構築方法により、壁体４の直進性や直立性などといった施工の精度が確保される。また、一階床８Ａを設ける。
【００５４】
次に、図１０に示すように、ブロック材３を鉄骨臥梁６Ａの直下の高さまで積んで一階用縦材５Ａ，５Ａ間に一階壁体４Ａを形成した後、一階用縦材５Ａ，５Ａの上端部に鉄骨臥梁６Ａを掛け渡す。より具体的には、鉄骨臥梁６Ａを一階壁体４Ａの上端４ａに載置すると共に、鉄骨臥梁６Ａの両端部に固定されたガセットプレート２０を介して、一階用縦材５Ａに対し鉄骨臥梁６Ａをボルト接合する。また、縦補強鉄筋３１を鉄骨臥梁６Ａの貫通孔に挿通し、ナットにより緊結する。
【００５５】
次に、カバー材２１、床支持部材２４、床載置板２６等を設けた後、二階床８Ｂを設ける。次に、一階用縦材５Ａの上部プレート５ａに二階用縦材５Ｂのベースプレート５ｂ（図３参照）をボルト接合することにより、二階用縦材５Ｂ，５Ｂを立設する。次に、鉄骨臥梁６Ａの上かつ二階用縦材５Ｂ，５Ｂ間に、一階と同様の手順で二階壁体４Ｂ，屋上床８Ｃ等を構成する。さらに、一階及び二階と同様の手順で屋上壁体４Ｃを構成する。
【００５６】
以上説明した本実施形態の組積造建物１によれば、鉄骨臥梁６Ａ，６Ｂの外側には、ブロック材３と同一の材料からなるカバー材２１が壁体４と面一となるように設けられるので、建物の壁面全体が同一のテクスチャーで仕上げられる。また、縦材５は複数のブロック材３によって内包されるので、縦材５の露出により外観が損なわれることもない。よって、意匠性が向上されている。
【００５７】
また、カバー材２１はブロック材３と同一の高さ寸法を有するので、カバー材２１の高さ寸法とブロック材３の高さ寸法とが揃えられており、意匠性がより一層向上されている。
【００５８】
また、縦材５の突出片５０，５１がブロック材３の深溝３ｋに嵌合されて、２つのブロック材３，３が縦材を挟んで内包しているので、縦材５に沿ってブロック材３を一直線状に並設することができ、壁体４の直立性が保たれている。よって、意匠性がより確実に向上されている。
【００５９】
また、出隅部に配置された縦材５がブロック材３Ａと同一の材料からなる被覆用ブロック材３Ｇによって覆われて隠れるので（図６（ｂ）参照）、出隅部における意匠性も向上されている。
【００６０】
図１１は、他の実施形態に係る組積造建物を室内側から見た斜視図である。図１１に示す組積造建物１Ａが図３に示した組積造建物１と違う点は、鉄骨臥梁６Ａに代えて略直方体形状の木質系材料からなる乾式の臥梁６０を備えた点である。このような組積造建物１Ａによっても、組積造建物１と同様の作用・効果が奏される。
【００６１】
本発明は、上述の実施形態に限定されるものではない。例えば、上記実施形態では、乾式の鉄骨臥梁６Ａ，６Ｂを用いる場合について説明したが、コンクリートの打設による湿式の臥梁であってもよい。また、カバー材２１の高さ寸法は、適宜変更することができる。また、また、縦材５が突出片を有し、ブロック材３に溝３ｇ，３ｈが形成される場合に限られず、縦材５とブロック材３とが他の態様で凹凸嵌合してもよい。縦材は、断面ロの字状であってもよい。
【００６２】
また、ブロック材３の積み方や、鉄筋の配置などは特に限定されず、適宜変更してもよい。また、ブロック材３の構成も、図４や図５に示すものに限らず、適宜変更してもよい。また、本実施形態では、二階建ての組積造建物を例に説明したが、一階建て、あるいは三階建て以上の組積造建物に本発明を適用してもよい。また、実施例では、ブロック材３が平面モジュールＭに基づいた寸法が設定され、規格化された部品として構成されていたが、規格化されていない組積造建物に本発明を適用してもよい。
【符号の説明】
【００６３】
１，１Ａ…組積造建物、２…布基礎（下部横架材）、３…ブロック材、３ｋ…深溝、３Ｇ，３Ｈ…被覆用ブロック材、４…壁体、５…縦材、５Ａ…一階用縦材、５Ｂ…二階用縦材（上階用縦材）、６Ａ，６Ｂ…鉄骨臥梁（上部横架材または下部横架材）、８Ｂ，８Ｃ…床、２１…カバー材、５０，５１…突出片。
【図１】
0005806028.tif 000002
【図２】
0005806028.tif 000003
【図３】
0005806028.tif 000004
【図４】
0005806028.tif 000005
【図５】
0005806028.tif 000006
【図６】
0005806028.tif 000007
【図７】
0005806028.tif 000008
【図８】
0005806028.tif 000009
【図９】
0005806028.tif 000010
【図１０】
0005806028.tif 000011
【図１１】
0005806028.tif 000012